(57)【特許請求の範囲】
【請求項１】
画像読取特性の異なる画像入力装置から出力される画像信号に対して単一のシャープネス強調装置によりシャープネス強調処理を行うシャープネス強調方法であって、
ＭＴＦ特性を検出するための複数空間周波数での振幅値が既知の正弦波チャートと、フレア特性測定用チャートと、濃度と粒状性が既知の複数のグレーパッチと、主走査副走査方向合わせ用トンボとを一つのチャートに含むシャープネスパラメータ検出用チャートを前記画像入力装置により読み取り、
前記シャープネス強調装置は、シャープネス強調処理用のパラメータ生成部を有し、
前記パラメータ生成部では、
前記画像入力装置から出力される前記シャープネスパラメータ検出用チャートの読取結果を含む画像信号中、前記主走査副走査方向合わせ用トンボの読取結果により前記シャープネスパラメータ検出用チャートに対する前記画像入力装置の読取角度を求めるとともに、求めた読取角度により前記フレア特性測定用チャートの読取結果を補正してフレア特性を求め、
次に、前記読取結果を含む画像信号中、前記グレーパッチの読取結果により濃度対画像信号値に係る階調特性と、濃度対粒状度に係わる粒状特性とを求めた後、前記求めた階調特性と前記求めた粒状特性とを前記求めたフレア特性で補正した補正後の階調特性と補正後の粒状特性とを求め、
次いで、前記読取結果を含む画像信号中、前記正弦波チャートの読取結果を前記求めたフレア特性と前記求めた読取角度により補正して補正後のＭＴＦ特性を求め、
前記補正後のＭＴＦ特性と前記補正後の階調特性と前記補正後の粒状特性とに対し、基準のＭＴＦ特性と基準の階調特性と基準の粒状特性とをそれぞれ比較して、前記シャープネス強調処理用のパラメータであるアンシャープ信号生成用ぼけマスクの重み係数値および（または）ＵＳＭ信号を生成する際の強調係数値を決定し、決定したパラメータを前記シャープネス強調装置に設定する
ことを特徴とするシャープネス強調方法。
【発明の詳細な説明】
【０００１】
【発明の属する技術分野】
この発明は、イメージ（画像）の強調に関し、特に、画像入力装置とシャープネス強調装置とが分離されたシステムに適用して好適なシャープネス強調方法に関する。
【０００２】
【従来の技術】
従来から、印刷製版の分野における画像読取再生システムとして、いわゆる製版用のスキャナが広範に採用されている。
【０００３】
この製版用スキャナは、原稿に担持された画像を読み取る画像入力部と、読み取った画像信号に対して階調補正処理、シャープネス強調処理、色修正処理、網点化画像処理等の種々の画像処理を行う画像処理部とが、同一の筐体内に配設された一体構造となっている。
【０００４】
このような一体構造の製版用スキャナでは、階調補正曲線の他、シャープネス強調処理用の各種パラメータ、例えば、アンシャープ信号生成用のぼけマスクの重み係数値あるいは強調係数値等について、前記画像入力部に対応した最適の数値等が、前記画像処理部にパラメータとして予め設定される。
【０００５】
すなわち、画像入力部と画像処理部とが一体構造になっている製版用スキャナでは、その製造メーカーが、製品の出荷前に、画像入力部に対応するよう、試行錯誤を重ねて最適なパラメータを求め、それを製品としての製版用スキャナの画像処理部に組み込むようにしているので、ユーザは、基本的には、製版用スキャナのデフォルトのパラメータ設定値に基づいて画像処理を行うことにより、それらのパラメータを意識することなく、最適な画像処理が容易に行え、結果として高画質な画像を容易に得ることができる。
【０００６】
ただし、画像入力部と画像処理部とが一体構造の従来の製版用スキャナにおいても、パラメータの設定と出力画像との対応関係が比較的に分かり易いシャープネス用の強調係数値は、ユーザが外部から設定できるようになっている。
【０００７】
【発明が解決しようとする課題】
ところで、最近のＤＴＰ（デスクトップパブリッシング）の急速な発展に伴い、画像処理部が画像処理装置単体として分離され、画像入力部が画像入力装置単体として分離されたシステムが登場するに至っている。
【０００８】
しかしながら、シャープネス強調のための最適なパラメータ（条件）は、個々の画像入力装置毎に異なるため、製造者であるメーカが指定した画像入力装置以外の画像入力装置から出力される画像信号を、前記単体の画像処理装置により処理しようとした場合、前記画像入力装置の能力を十分に発揮することができないという問題が発生する。
【０００９】
具体的に説明すると、その画像入力装置に対応していない画像処理装置によりシャープネス強調処理を行った場合、所望の強調画像を得ることができないという問題が生じている。
【００１０】
この発明は、このような課題を考慮してなされたものであり、画像読取特性の異なる画像入力装置に広く対応して、所望のシャープネス処理を簡易に行うことを可能とするシャープネス強調方法を提供することを目的とする。
【００１１】
【課題を解決するための手段】
この発明に係るシャープネス強調方法は、
画像読取特性の異なる画像入力装置から出力される画像信号に対して単一のシャープネス強調装置によりシャープネス強調処理を行うシャープネス強調方法であって、
ＭＴＦ特性を検出するための複数空間周波数での振幅値が既知の正弦波チャートと、フレア特性測定用チャートと、濃度と粒状性が既知の複数のグレーパッチと、主走査副走査方向合わせ用トンボとを一つのチャートに含むシャープネスパラメータ検出用チャートを前記画像入力装置により読み取り、
前記シャープネス強調装置は、シャープネス強調処理用のパラメータ生成部を有し、
前記パラメータ生成部では、
前記画像入力装置から出力される前記シャープネスパラメータ検出用チャートの読取結果を含む画像信号中、前記主走査副走査方向合わせ用トンボの読取結果により前記シャープネスパラメータ検出用チャートに対する前記画像入力装置の読取角度を求めるとともに、求めた読取角度により前記フレア特性測定用チャートの読取結果を補正してフレア特性を求め、
次に、前記読取結果を含む画像信号中、前記グレーパッチの読取結果により濃度対画像信号値に係る階調特性と、濃度対粒状度に係わる粒状特性とを求めた後、前記求めた階調特性と前記求めた粒状特性とを前記求めたフレア特性で補正した補正後の階調特性と補正後の粒状特性とを求め、
次いで、前記読取結果を含む画像信号中、前記正弦波チャートの読取結果を前記求めたフレア特性と前記求めた読取角度により補正して補正後のＭＴＦ特性を求め、
前記補正後のＭＴＦ特性と前記補正後の階調特性と前記補正後の粒状特性とに対し、基準のＭＴＦ特性と基準の階調特性と基準の粒状特性とをそれぞれ比較して、前記シャープネス強調処理用のパラメータであるアンシャープ信号生成用ぼけマスクの重み係数値および（または）ＵＳＭ信号を生成する際の強調係数値を決定し、決定したパラメータを前記シャープネス強調装置に設定する
ことを特徴とする。
【００１２】
このようにすれば、画像読取特性の異なる画像入力装置に対応して、単一のシャープネス強調装置により所望のシャープネス処理を行うことができるようになる。
【００１５】
この発明によれば、単一のシャープネス強調装置により、異なる画像読取特性を有する画像入力装置のそれぞれに対して、従来の画像入力部と画像処理部の一体型の装置に近いきわめて適切なシャープネス強調処理を行うことができる。
【００１６】
【発明の実施の形態】
以下、この発明の一実施の形態について図面を参照して説明する。
【００１７】
図１は、この発明の一実施の形態が適用された画像読取再生システム１０の構成を示している。
【００１８】
この画像読取再生システム１０は、基本的には、異なる画像読取特性を有する複数の画像入力装置１２と、画像入力装置１２の各々から出力される画像信号に対応して適切な画像処理を施す画像処理装置１４と、画像処理後の画像信号に基づきフイルム等を出力する画像出力装置１６とから構成される。
【００１９】
異なる画像読取特性を有する画像入力装置１２としては、具体的には、スキャナの入力部（図１中、画像入力装置１として示している。）あるいはデジタルカメラ（図１中、画像入力装置２として示している。）等がある。
【００２０】
スキャナの入力部では、画像原稿が光源からの光により走査され、画像原稿からの反射光または透過光が、例えば、それぞれ、３原色のフィルタを通じて色分解され、ＣＣＤリニアイメージセンサ等の光電変換素子に導かれ、その光電変換素子を通じて電気信号である画像信号（画素信号）に変換される。変換された画像信号は、デジタルの画像信号に変換されて出力される。
【００２１】
一方、デジタルカメラでは、前記ＣＣＤリニアイメージセンサに代替してＣＣＤエリアイメージセンサが使用され、被写体に係る画像が同様にデジタルの画像信号として出力される。
【００２２】
画像処理装置１４では、複数の画像入力装置１２のそれぞれから供給されるいずれかの画像信号に対して、輝度信号から濃度信号への変換処理、階調変換処理、シャープネス強調処理、その他、色処理等を行った後、網点化画像信号として出力する。
【００２３】
画像処理装置１４から出力された網点化画像信号は、画像出力装置１６において電光変換され、レーザ光等の光ビームにより感光材料上が走査されることで、フイルム上に潜像が形成される。潜像が形成されたフイルムは、現像機により現像されて、画像が形成されたフイルムが完成する。
【００２４】
この画像が形成されたフイルムから刷版作成装置により刷版が作成され、作成された刷版が印刷機に装着される。印刷機において、刷版から印画紙にインキが転移される、および多色刷りが行われることで、カラー画像が形成された印刷物が完成する。
【００２５】
図２は、この実施の形態に係るシャープネス強調処理装置の機能を有するシャープネス強調処理部２２を含む画像処理装置１４の基本的な構成を示している。
【００２６】
図２において、画像入力装置１２から出力された画像信号（入力画像信号）Ｓｉｎが、入力ポート２４を通じて画像メモリ３１に、一旦記憶されて色処理部６０に供給されるとともに、階調処理部３２を介してマルチプレクサ（切換部、切換スイッチ）２６の共通ポート２６ａに供給される。
【００２７】
マルチプレクサ２６は、ユーザによるキーボード２８の操作に従い、制御部３０から発生する制御信号により、その共通ポート２６ａがポート２６ｂまたはポート２６ｃのいずれかに切り換えられる。
【００２８】
制御部３０は、パラメータ生成・設定手段等として機能するマイクロコンピュータと画像を記憶するための画像メモリを含む。マイクロコンピュータは、駆動・制御・処理（計算処理含む）・判断（比較処理含む）手段等として機能し、周知のように、中央処理装置（ＣＰＵ）に対応するマイクロプロセッサ（ＭＰＵ）と、制御プログラム・システムプログラム・ルックアップテーブル等が予め書き込まれる読み出し専用メモリ（ＲＯＭ）と、処理データを一時的に保存等するランダムアクセスメモリ（ＲＡＭであり、書き込み・読み出しメモリ）等を１チップに集積したＬＳＩデバイスとして提供される。
【００２９】
この制御部３０によりパラメータを生成するときには、キーボード２８の所定操作に対応してマルチプレクサ２６がポート２６ｃ側に切り換えられ、後述するパラメータ検出用チャートを画像入力装置１２により読み取ったときの画像信号Ｓｉｎ（チャート）が、階調変換特性がデフォルト値（標準値）に設定された階調処理部３２を介して制御部３０に供給される。
【００３０】
制御部３０は、パラメータ検出用チャートを読み取った画像信号に基づき、後述するパラメータ生成処理を行い、その処理結果に基づいて生成した各種パラメータを階調処理部３２、ぼけマスク重み係数記憶部３８、強調係数記憶部４０、および濃度依存係数発生部４２等に設定する。
【００３１】
パラメータの設定後に、キーボード２８の所定の操作に応じてマルチプレクサ２６がポート２６ｂ側に切り換えられる。この状態において、画像入力装置１２により得られた実際の画像信号Ｓｉｎが、画像メモリ３１を介して階調処理部３２と色処理部６０に供給される。
【００３２】
階調処理部３２では、ルックアップテーブル（ＬＵＴ）により、輝度信号であるＲ（赤）、Ｇ（緑）、Ｂ（青）の３原色の各色の１０ビット（１０２４階調）の画像信号を、濃度信号であるＣ（シアン）、Ｍ（マゼンタ）、Ｙ（黄）の３原色の各色の８ビット（２５６階調）の画像信号に階調変換して、マトリクス演算部３４に出力する。
【００３３】
一方、色処理部６０では、上述のＲ、Ｇ、Ｂ３原色の１０ビットの画像信号に対して、３色−４色変換、カラー修正、階調変換などを含む色処理を行ってＹ、Ｍ、Ｃ、Ｋの４色の８ビットの画像信号に変換し、シャープネス強調処理部２２を構成する加算部５０に供給する。
【００３４】
前記のマトリクス演算部３４では、予め準備されている４行３列のマトリクスに対して、要素がＹ、Ｍ、Ｃからなる３行１列の入力マトリクスをマトリクス乗算して、要素がＹ、Ｍ、Ｃ、Ｋ（墨）の各画像信号である４行１列の出力マトリクスを生成する。
【００３５】
次に、マトリクス演算結果の画像信号Ｓと色処理結果の画像信号Ｓｃのそれぞれ同じ色の画像信号に基づき、シャープネス強調処理部２２において、各色毎にシャープネス強調処理が行われる。
【００３６】
すなわち、シャープネス強調処理部２２を構成するアンシャープ信号生成部３６では、シャープネス処理を行おうとする注目画素を含むその近傍の所定のマスクサイズ（例えば、７画素×７画素分）で切り取られる画像信号に対して、ぼけマスク重み係数記憶部３８から出力される重み係数が設定された重み付けマスクを順次作用させ、作用させる毎に、重み係数と対応する画素とを乗算した後、相加平均してアンシャープ信号Ｕを生成する。
【００３７】
所望のシャープネス処理を行おうとする場合には、制御部３０からぼけマスク重み係数記憶部３８に設定されるパラメータである各重み係数が配された重み付けマスクが、所望（基準）のＭＴＦ（変調伝達関数）特性を持つことが重要であり、このＭＴＦ特性は、制御部３０内で、後述するパラメータ生成処理を行ったときに生成される。
【００３８】
次に、減算部（差信号生成部）４４で、画像信号Ｓからアンシャープ信号Ｕが減算されて差信号Ｓ−Ｕが生成される。
【００３９】
次いで、差信号Ｓ−Ｕに対して強調係数記憶部４０から強調係数（利得）ｋが読み出され、前段側の乗算部（積信号生成部）４６で乗算されて積信号であるアンシャープマスキング（ＵＳＭ）信号ＵＳＭ１｛ＵＳＭ１＝ｋ（Ｓ−Ｕ）｝が生成される。
【００４０】
さらに、後段側の乗算部（積信号生成部）４８において、アンシャープ信号Ｕの大きさに応じて、ルックアップテーブルである濃度依存係数発生部４２から出力される濃度依存係数ｈが前記ＵＳＭ信号ＵＳＭ１に乗算され、振幅が変えられたアンシャープマスキング（ＵＳＭ）信号ＵＳＭ２｛ＵＳＭ２＝ｈ・ｋ（Ｓ−Ｕ）｝が生成される。
【００４１】
そして、加算部（和信号生成部）５０において、前記色処理後の画像信号Ｓｃに前記ＵＳＭ信号ＵＳＭ２が加算され、次の（１）式に示すシャープネス強調処理後の画像信号Ｓ* が生成される。
【００４２】
Ｓ* ＝Ｓｃ＋ＵＳＭ２＝Ｓｃ＋ｈ・ＵＳＭ１＝Ｓｃ＋ｈ・ｋ（Ｓ−Ｕ）…  （１）
図３は、制御部３０中、シャープネス強調処理用のパラメータ生成部８０の構成を示している。
【００４３】
パラメータ生成部８０を構成するＲＯＭである基準特性記憶部８２には、予め、当該画像処理装置１４として最適化されているそれぞれ所望の、図４に示す基準階調特性６２と、図５に示す基準粒状特性６４と、図６に示す基準ＭＴＦ特性６６とがデフォルト（初期設定）のテーブルとして記憶されている。
【００４４】
図４に示す基準階調特性６２は、縦軸上の入力画像信号Ｓｉｎの値（輝度値）を濃度値に変換する特性であり、同図から理解できるように、縦軸の輝度値（入力画像信号Ｓｉｎの値）の増加に応じて横軸の濃度値が小さくなる特性を有している。
【００４５】
図５に示す基準粒状特性６４は、濃度依存係数ｈを発生するための特性であり、濃度の大きい部分でのシャープネス強調処理より大きくかけるために、横軸の濃度値の増加に応じて縦軸の濃度依存係数ｈの係数値が値１．００より徐々に大きくなる特性を有している。
【００４６】
図６に示す基準ＭＴＦ特性６６は、色処理後の画像信号Ｓｃに加算されるＵＳＭ信号ＵＳＭ２（ＵＳＭ１）の形状、換言すれば、シャープネス強調処理しようとするエッジ部分の強調のされ方を所望の（周波数）特性とするためのぼけマスク重み係数とシャープネス強調係数ｋを決定するためのものである。この場合、ぼけマスク（この実施の形態では、７画素×７画素分）上に配列されている中央から周辺部へ向かう重みの値が、同図に示す基準ＭＴＦ特性６６に対応して徐々に小さくなる。
【００４７】
図３に示すパラメータ生成部８０を構成するＲＯＭである検出用チャート仕様記憶部８４には、予め、図７に示すパラメータ検出用チャート７０の仕様が記憶されている。
【００４８】
パラメータ検出用チャート７０は、透過原稿用の場合には透明のフイルム基材を利用して作成され、反射原稿用の場合には印刷紙等を利用して作成される。図７に示すように、パラメータ検出用チャート７０は、ＭＴＦ特性を検出するための複数周波数での振幅が既知の正弦波が、主走査方向Ｘと副走査方向Ｙ上に描かれた正弦波チャート（シャープネスパラメータ検出用チャート）７２（７２ａ、７２ｂ）と、濃度と粒状性が既知の複数（ハイライト側とシャドー側との間で段階的に変化する濃度が複数）のグレーパッチ７４と、正方形の中央正方形部が透明（または印刷紙の白色）で周囲が最大濃度値にされたフレア特性測定用チャート７６と、主走査方向Ｘと副走査方向Ｙとに、各々並行な部分を有する主走査副走査方向合わせ用トンボ７８とを含んでいる。
【００４９】
この場合、主走査副走査方向合わせ用トンボ７８の原点（基準点）７８Ｒを基準に、前記各チャートの位置座標と、属性（振幅、周波数、濃度、粒状性）が仕様として前記検出用チャート仕様記憶部８４（図３参照）に予め記憶される。なお、振幅や周波数は、トンボの長さに対する比の値として記憶される。
【００５０】
図３に示すパラメータ生成部８０は、マルチプレクサ２６のポート２６ｃに接続される画像メモリ部８６を有している。角度ずれ量・原点検出部８８は、この画像メモリ８６に記憶されているパラメータ検出用チャート７０を画像入力装置１２により読み取った画像と、パラメータ検出用チャート仕様記憶部８４に記憶されているパラメータ検出用チャート７０の仕様とを比較して、パラメータ検出用チャート７０を読み取ったときの画像入力装置１２の角度ずれ量とパラメータ検出用チャート７０の原点７８Ｒの座標を、主走査副走査方向合わせ用トンボ７８の読取結果に基づいて検出する。
【００５１】
さらに、パラメータ生成部８０は、フレア特性算出部９０と階調特性算出部９２と粒状特性算出部９３とＭＴＦ特性算出部９４とパラメータ決定部９６とを有している。
【００５２】
フレア特性算出部９０は、角度ずれ量・原点検出部８８により求めた角度ずれ量・原点に基づき、フレア特性測定用チャート７６の読取結果とその仕様とを比較して、後述するフレア特性を算出する。
【００５３】
階調特性算出部９２および粒状特性算出部９３では、それぞれグレーパッチ７４の読取結果とその仕様とを比較して、階調特性と粒状特性を算出した後、算出した階調特性と粒状特性とを前記フレア特性により補正した階調特性と粒状特性とを算出する。
【００５４】
ＭＴＦ特性算出部９４は、前記角度ずれ量・原点と前記フレア特性と主走査副走査方向合わせ用トンボ７８の読取結果に基づき、正弦波チャート７２の読取結果からＭＴＦ特性を算出する。
【００５５】
パラメータ決定部９６では、算出されたそれぞれ補正後の階調特性と粒状特性とＭＴＦ特性と、基準特性記憶部８２に記憶されている基準の階調特性と粒状特性とＭＴＦ特性とをそれぞれ比較して、シャープネス強調処理用のパラメータ等を決定する。すなわち、階調処理部３２用のルックアップテーブルと、ぼけマスク重み係数記憶部３８用のぼけマスク重み係数と、強調係数記憶部４０用の強調係数と、濃度依存係数発生部４２用のルックアップテーブルを決定して、それらに設定する。
【００５６】
次に、画像入力装置１２のそれぞれに対応した上記パラメータを生成するための制御部３０（パラメータ生成部８０）に係る作用を、図７に示す動作フローに基づいてさらに詳しく説明する。
【００５７】
まず、ユーザは、画像処理装置１４で画像処理を行おうとする画像入力装置１２の出力ポートを画像処理装置１４の入力ポートに接続した後、キーボード２８を操作してパラメータ生成モードとする。これにより、マルチプレクサ２６の共通ポート２６ａが制御部３０側のポート２６ｃに接続される（ステップＳ１）。このとき、図示していない表示器上にパラメータ生成（設定）モードであることを知らせるための表示が行われる。
【００５８】
次いで、その画像入力装置１２の画像読取形式に適した透過型用または反射型用のいずれかのパラメータ検出用チャート７０を準備し（ステップＳ２）、画像入力装置１２に対してその相対位置を固定した後、そのパラメータ検出用チャート７０を所定光源下で当該画像入力装置１２により読み取る（撮影する）（ステップＳ３）。これにより、パラメータ検出用チャート７０の画像が、デフォルト値の基準階調特性６２が設定されている階調処理部３２を介して、制御部３０内のパラメータ生成部８０中、画像メモリ８６に画像データとして記憶される。なお、このとき、パラメータ検出用チャート７０の画像は、読取解像度（ｄｐｉ）に対応して記憶される。
【００５９】
次に、角度ずれ量・原点検出部８８において、この画像メモリ８６上でのパラメータ検出用チャート７０の画像から主走査副走査方向合わせ用トンボ７８を検出し、検出用チャート仕様記憶部８４に記憶されている主走査副走査方向合わせ用トンボ７８の仕様と比較して、画像メモリ８６上での、この主走査副走査方向合わせ用トンボ７８の主走査方向と副走査方向に対する角度ずれ量、原点７８Ｒの位置（アドレス）を計算して記憶する（ステップＳ４）。
【００６０】
次いで、画像メモリ８６に記憶されている、検出したフレア特性測定用チャート７６を前記角度ずれ量で補正した後、検出用チャート仕様記憶部８４に記憶されているフレア特性測定用チャート７６の形状と比較して、主走査方向と副走査方向の広がりの程度を比率として算出するとともに、迷光等による被写体の輝度の最明部と最暗部の比の減少する割合であるフレア係数を算出する（ステップＳ５）。なお、この実施の形態において、広がりの程度の比率とフレア係数とは、いずれもフレア特性ともいう。
【００６１】
次に、階調特性算出部９２と粒状特性算出部９３において、画像メモリ８６に記憶されているグレーパッチ７４の読取値（画像信号値）に対応して、既知の濃度値に対する読取濃度値の対応表を作成するとともに、既知の濃度値・既知の粒状特性（粒状度）に対する読取濃度値対読取粒状特性（粒状度）の対応表をそれぞれ作成する。なお、対応表を作成する前に、読取濃度値をフレア特性算出部９０により算出した前記フレア係数により補正しておく（ステップＳ６）。
【００６２】
次いで、ＭＴＦ特性算出部９４において、画像メモリ８６に記憶されている、正弦波チャート７２の読取結果を角度ずれ量・原点検出部８８により得られている角度ずれ量に基づいて角度補正するとともに、前記フレア特性算出部９０で算出した広がりの程度の比率により補正した後、主走査方向と副走査方向の２方向のＭＴＦ特性を算出する（ステップＳ７）。
【００６３】
これらステップＳ６、ステップＳ７の測定結果に基づいて、当該画像処理装置１４の入力ポート２４に接続されている画像入力装置１２用としての、画像処理装置１４の内部パラメータ（シャープネス強調処理用のパラメータを含む。）をパラメータ決定部９６により決定する（ステップＳ８）。
【００６４】
このステップＳ８の過程においてパラメータ決定部９６は、第１に、ステップＳ６で作成したグレーパッチ７４の読取値（画像信号値）対既知の濃度値に対する読取濃度値の対応表による特性曲線が、基準特性記憶部８２に記憶されている基準階調特性６２（図４参照）となるように変換テーブル（例えば、読取画像信号値に乗算する比率の表）を作成し、その変換テーブルを階調処理部３２にルックアップテーブルとして設定する。
【００６５】
第２に、ステップＳ６で作成した読取濃度値対読取粒状特性（粒状度）の対応表による特性曲線が、基準特性記憶部８２に記憶されている基準粒状特性６４（図５参照）となるように変換テーブルを作成して、濃度依存係数発生部４２にルックアップテーブルとして設定する。
【００６６】
第３に、ステップＳ７で算出した主走査方向と副走査方向の２方向のＭＴＦ特性が、基準特性記憶部８２に記憶されている基準ＭＴＦ特性６６（図６参照）となるように変換テーブルを作成し、この変換テーブルをぼけマスク重み係数と強調係数分とに分けて、それぞれぼけマスク重み係数記憶部３８と強調係数記憶部４０に設定する。
【００６７】
以上のようにして、各種パラメータを所望の部位に設定した後に、マルチプレクサ２６の共通ポート２６ａがポート２６ｃ側からポート２６ｂ側に切り換えられ、その後、図示していない表示器上にパラメータの設定処理が終了したことを知らせるための表示がなされて、パラメータの設定処理が終了する。
【００６８】
このパラメータ設定後に、入力ポート２４に接続されている画像入力装置１２から出力される画像信号Ｓｉｎに対して画像処理装置１４により行われるシャープネス強調の画像処理は、画像入力装置１２に適したパラメータにより処理されることとなり、画像入力装置１２の能力を最大に発揮させることができる処理となる。
【００６９】
したがって、単体構成の廉価な画像入力装置１２により画像読取を行った場合においても、これに対して最適なパラメータが設定された画像処理装置１４により処理を行うことで、高品質の画像を再生することが可能となるシャープネス強調処理後の画像信号Ｓ* を得ることができる。
【００７０】
この実施の形態によれば、画像入力装置１２から出力される画像信号に対しての画像処理条件である内部パラメータを自動的に生成（調整）することが可能である。したがって、画像入力装置１２を交換した場合であっても、その交換した画像入力装置１２に適した内部パラメータを自動的に生成させることでき、結果として、いわゆる専門の技術者によるパラメータの再調整が不要になるという効果が達成される。もちろん、結果として得られる画像も高画質となり、そのような複数の画像入力装置１２に対して最適な画像処理を行った画像が得られる画像読取再生システム１０を廉価に構築することができるという派生的な効果も達成される。
【００７１】
なお、この発明は、上述の実施の形態に限らず、この発明の要旨を逸脱することなく、種々の構成を採り得ることはもちろんである。
【００７２】
【発明の効果】
以上説明したように、この発明によれば、異なる画像読取装置の出力画像信号に対してシャープネス強調装置により適切なシャープネス強調を行おうとする際、予め、正弦波チャートを含むシャープネスパラメータ検出用チャートを画像入力装置により読み取り、読取結果のデータを評価することで画像入力装置の特性値を算出し、算出した特性値に基づいてシャープネス強調処理用のパラメータを求め、これをシャープネス強調装置に設定するようにしている。
【００７３】
このようにすれば、シャープネス強調処理用のパラメータを自動的に設定することができる。
【００７４】
このため、異なる画像読取装置に対応したシャープネス強調処理用のパラメータを簡易かつ短時間に得ることができる。
【００７５】
結果として、画像読取特性の異なる画像入力装置に広く対応して、所望のシャープネス処理を行うことができるという効果が達成される。
【図面の簡単な説明】
【図１】この発明が適用された画像読取再生システムの構成を示すブロック図である。
【図２】この発明が適用された画像処理装置の構成を示すブロック図である。
【図３】この実施の形態に係るパラメータ生成部の構成を示すブロック図である。
【図４】  予め制御部に格納されている所望の階調特性を示す線図である。
【図５】予め制御部に格納されている所望の粒状特性を示す線図である。
【図６】予め制御部に格納されている所望のＭＴＦ特性を示す線図である。
【図７】パラメータ検出用チャートの構成を模式的に示す線図である。
【図８】図２例の動作説明に供される動作フロー図である。
【符号の説明】
１０…画像読取再生システム            １２…画像入力装置
１４…画像処理装置                    １６…画像出力装置
２２…シャープネス強調処理部          ２６…マルチプレクサ
２８…キーボード                      ３０…制御部
３２…階調処理部                      ３８…ぼけマスク重み係数記憶部
４０…強調係数記憶部                  ４２…濃度依存係数発生部
６２…基準階調特性                    ６４…基準粒状特性
６６…基準ＭＴＦ特性                  ７０…パラメータ検出用チャート
７２、７２ａ、７２ｂ…正弦波チャート（シャープネスパラメータ検出用チャート）
７４…グレーパッチ                    ７６…フレア特性測定用チャート
７８…主走査副走査方向合わせ用トンボ  ８０…パラメータ生成部
８２…基準特性記憶部                  ８４…検出用チャート仕様記憶部
８６…画像メモリ                      ８８…角度ずれ量・原点検出部
９０…フレア特性算出部                ９２…階調特性算出部
９３…粒状特性算出部                  ９４…ＭＴＦ特性算出部
９６…パラメータ決定部
Ｓ…画像信号                          Ｓｃ…色処理後の画像信号
Ｓｉｎ…入力画像信号                  Ｓ* …シャープネス強調信号
Ｕ…アンシャープ信号
ＵＳＭ１、ＵＳＭ２…アンシャープマスキング（ＵＳＭ）信号
【図１】
0003913330.tif 000002
【図２】
0003913330.tif 000003
【図３】
0003913330.tif 000004
【図４】
0003913330.tif 000005
【図５】
0003913330.tif 000006
【図６】
0003913330.tif 000007
【図７】
0003913330.tif 000008
【図８】
0003913330.tif 000009